(57)【要約】【課題】画像を識別する情報が一覧表示され、その表示された情報の１つを選択する動作と、その選択を決定する動作との２段階の動作によって、その選択された情報によって識別される画像を外部表示させる。【解決手段】投影画像選択部２３は、入力装置１６の所定の２段階のキー操作に基づいて、画像記憶部２２に記憶された画像２２ａを選択し、選択された画像２２ａの識別子を投影画像識別子記憶部２４に投影画像識別子２４ａとして記憶させる。画像投影制御部２５は、投影画像識別子記憶部２４に記憶された投影画像識別子２４ａによって識別される画像２２ａを画像記憶部２２から検索して、画像出力部２１に送って投影させる。【選択図】図３
2009244977.tif 000002
【特許請求の範囲】
【請求項１】
入力手段と、
表示手段と、
画像出力手段と、
画像を記憶する画像記憶手段と、
前記画像記憶手段に記憶された画像を識別する情報を前記表示手段に一覧表示させ、その一覧表示された情報の１つを前記入力手段の第１のキー操作によって選択し、その選択を前記入力手段の第２のキー操作によって決定する画像選択手段と、
前記画像選択手段によって選択が決定された情報によって識別される画像を前記画像出力手段に表示させる画像表示制御手段と
を有することを特徴とする情報処理装置。
【請求項２】
入力手段と、
表示手段と、
画像出力手段と、
画像を記憶する画像記憶手段と、
前記画像記憶手段に記憶された画像を識別する情報を記憶する画像識別情報記憶手段と、
前記画像記憶手段に記憶された画像を識別する情報を前記表示手段に一覧表示させ、その一覧表示された情報の１つを前記入力手段の第１のキー操作によって選択し、その選択を前記入力手段の第２のキー操作によって決定し、その選択が決定された情報を前記画像識別情報記憶手段に順序付けて記憶させる画像選択手段と、
前記画像識別情報記憶手段に記憶された情報の１つを前記入力手段の第３のキー操作によって前記順序付けに従って選択し、その選択された情報によって識別される画像を前記画像出力手段に表示させる画像表示制御手段と
を有することを特徴とする情報処理装置。
【請求項３】
前記画像識別情報記憶手段は、更に、前記画像選択手段によって最も新しく追加記憶または更新記憶された画像を識別する情報を識別可能に記憶し、
前記画像表示制御手段は、前記画像識別情報記憶手段に記憶された情報であって、前記画像選択手段によって最も新しく追加記憶または更新記憶された情報によって識別される画像を前記画像出力手段に表示させる
ことを特徴とする請求項２に記載の情報処理装置。
【請求項４】
前記画像識別情報記憶手段は、更に、前記画像表示制御手段によって表示された画像を識別する情報を識別可能に記憶し、
前記画像選択手段は、前記画像表示制御手段によって表示された画像を識別する情報の直前、または、直後に順序付けて、前記選択が決定された情報を前記画像識別情報記憶手段に記憶させる
ことを特徴とする請求項２に記載の情報処理装置。
【請求項５】
前記第１のキー操作及び前記第２のキー操作は、装置の前面に設置されたキーの操作であり、
前記第３のキー操作は、装置の側面に設置されたキーの操作、または、後面に設置されたキーの操作である
ことを特徴とする請求項２に記載の情報処理装置。
【請求項６】
複数の筐体が開閉自在に結合されてなり、
前記第１のキー操作及び前記第２のキー操作は、前記複数の筐体が閉状態にある際、内面となる面に設置されたキーの操作であり、
前記第３のキー操作は、前記複数の筐体が閉状態にある際、側面となる面に設置されたキーの操作、または、外面となる面に設置されたキーの操作である
ことを特徴とする請求項２に記載の情報処理装置。
【請求項７】
前記第１のキー操作は、左向きキーの操作及び右向きキーの操作であり、
前記第３のキー操作は、上向きキーの操作及び下向きキーの操作である
ことを特徴とする請求項２に記載の情報処理装置。
【請求項８】
前記画像を識別する情報は、その画像から作成されたサムネイル画像を含む
ことを特徴とする請求項２に記載の情報処理装置。
【請求項９】
第２の入力手段を有するリモコン装置と有線または無線回線で接続され、
前記第１のキー操作及び前記第２のキー操作は、前記入力手段のキー操作に代えて、または、加えて前記第２の入力手段のキー操作である
ことを特徴とする請求項２に記載の情報処理装置。
【請求項１０】
第２の入力手段を有するリモコン装置と有線または無線回線で接続され、
前記第３のキー操作は、前記入力手段のキー操作に代えて、または、加えて前記第２の入力手段のキー操作である
ことを特徴とする請求項２に記載の情報処理装置。
【請求項１１】
前記画像出力手段は、プロジェクタである
ことを特徴とする請求項１または請求項２に記載の情報処理装置。
【発明の詳細な説明】
【技術分野】
【０００１】
本発明は、情報処理装置に係り、特に、装置の使用者以外の人に視認可能に、装置の使用者の意向に従った順序で画像を表示させる処理に関する。
【背景技術】
【０００２】
情報処理装置は、主に、装置の使用者が画像を視認するために用いられる表示部に画像を表示させるだけでなく、装置の使用者に視認可能であるか否かを問わず、また、1人であるか複数人であるかを問わず、装置の使用者以外の人に視認可能に、画像を画像出力部によって外部表示させることがある。ここで、画像出力部による外部表示の一例は、プロジェクタ装置による投影であり、プロジェクタ装置は、情報処理装置以外のもの、例えば、スクリーンや、壁に向けて画像を投影する。ここで、プロジェクタ装置の光源を問わない。
【０００３】
画像出力部による外部表示の別の例は、液晶を用いたものであるか、ブラウン管を用いたものであるかなど、表示の方式を問わず、大型の表示部による表示である。なお、画像出力部は、情報処理装置の筐体内に組み込まれたものでも良く、また、情報処理装置と着脱自在であっても良い。更に、情報処理装置と有線回線を、または、無線回線を介して接続されていても良い。ここで、回線を介して画像を画像出力部に送るプロトコルを問わない。
【０００４】
外部表示は、例えば、装置の使用者（発表者）が発表を行うために用いられる。ここで、画像とは、外部表示させる全ての内容を指しており、その内容を問わない。例えば、静止画であるか、動画であるかを問わない。また、その内容が文字列のみからなる場合を含んで画像と称する。
【０００５】
発表にあたり、表示される画像と、それらの画像が表示される順序とは、その発表を視聴する者に適するように、また、所定の時間で発表が行われるように、発表者によって決定される。しかし、発表の度に、その発表に用いられる画像を作成することは、発表者にとって、大きな負荷となる。そこで、発表者は、事前に複数の画像を装置に記憶させ、それらの画像の中から画像を選択し、選択された画像を外部表示させることが知られている。
【０００６】
また、発表者が画像の選択を容易に行うため、画像に対応してその画像を識別する情報、例えば、その画像を縮小したサムネイル画像を用意し、装置の表示部には、複数のサムネイル画像を一覧表示させる。そして、所定の操作によって表示されたサムネイル画像の中の１つにカーソルが移されると、そのカーソルが位置するサムネイル画像に対応する画像を外部表示させることが知られている（例えば、特許文献１参照。）。
【特許文献１】特開２００７−４７７５８号公報（第２−３、９−１０頁、図３、図４）
【発明の開示】
【発明が解決しようとする課題】
【０００７】
しかしながら、上述した特許文献１に開示されている方法では、表示部に表示されるサムネイル画像は、所定の順、例えば、記憶された日時の順に表示されるため、その順に依存せずに画像を外部表示させることができない問題点があった。特に、一部の画像は発表の視聴者が視認することが望ましくない、例えば、秘密の情報を含んでいる場合、この問題点は顕著である。
【０００８】
本発明は、上記問題点を解決するためになされたもので、画像を識別する情報が一覧表示され、その表示された情報の１つを選択する動作と、その選択を決定する動作との２段階の動作によって、その選択された情報によって識別される画像を外部表示させる情報処理装置を提供することを目的とする。
【課題を解決するための手段】
【０００９】
上記目的を達成するために、本発明の情報処理装置は、入力手段と、表示手段と、画像出力手段と、画像を記憶する画像記憶手段と、前記画像記憶手段に記憶された画像を識別する情報を前記表示手段に一覧表示させ、その一覧表示された情報の１つを前記入力手段の第１のキー操作によって選択し、その選択を前記入力手段の第２のキー操作によって決定する画像選択手段と、前記画像選択手段によって選択が決定された情報によって識別される画像を前記画像出力手段に表示させる画像表示制御手段とを有することを特徴とする。
【発明の効果】
【００１０】
本発明によれば、画像を識別する情報が一覧表示され、その表示された情報の１つを選択する動作と、その選択を決定する動作との２段階の動作によって、その選択された情報によって識別される画像を外部表示させることができる。
【発明を実施するための最良の形態】
【００１１】
以下に、本発明による情報処理装置の実施の形態を、図面を参照して説明する。図１は、本発明の実施形態に係る情報処理装置が適用された開閉自在の折畳み型移動通信装置の、上下筐体の折畳みを開いた時の外観を示し、図１（ａ）は前面図、即ち、正面図を、図１（ｂ）は側面図を示す。
【００１２】
この移動通信装置は、上筐体ＭＳ１と下筐体ＭＳ２とが、ヒンジ部ＭＳ３によって軸Ａ−Ａを中心に回動自在に連結されてなることによって、上下筐体ＭＳ１、ＭＳ２の角度がほぼ０度（閉状態）からほぼ１８０度（開状態）の間で開閉自在に構成されている。上筐体ＭＳ１の内面には、受話に用いられるスピーカ１４ａと、使用者に操作を促す表示や、使用者が操作した内容の表示や、カーソル位置や、装置の動作状態の表示などに用いられるバックライト付きのＬＣＤ（Liquid Crystal Display）からなる表示部１５とが設置されている。また、上筐体ＭＳ１の外面には、装置の外側に画像を投影するプロジェクタからなる画像出力部２１が設置されている。
【００１３】
また、下筐体ＭＳ２の内面には、送話に用いられるマイクロフォン１４ｂが設置されている。下筐体ＭＳ２の内面と側面には、キーパッドからなる入力装置１６が設けられている。また、下筐体ＭＳ２の内部には、電波の送受に用いられるアンテナが設置されている。
【００１４】
入力装置１６は、下筐体ＭＳ２の内面に設置され、各機能での確定や選択を指示するために用いられる決定キー１６ａと、決定キー１６ａに隣接して決定キー１６ａを取り囲んで設置され、決定キー１６ａの上、下、左、及び、右方向に位置する４つのキーからなり、表示部１５上のカーソル位置の移動指示などに用いられる十字選択キー１６ｂとを含む。また、下筐体ＭＳ２の内面で表示部１５の近く、即ち、上筐体ＭＳ１の近くに左から右へ設置され、表示部１５の下部に左から右に表示される第１、第２の機能を選択するために用いられる第１の機能キー１６ｃと、第２の機能キー１６ｄとを含む。
【００１５】
更に、入力装置１６は、下筐体ＭＳ２の内面に設置され、英数字や文字、記号の入力などに用いられる数字キーと、移動通信装置の電源の投入及び切断などの動作指示の入力に用いられる複数の機能キーと、下筐体ＭＳ２の側面に設置された複数の側面キー１６ｅとを含んでいる。
【００１６】
また、ヒンジ部ＭＳ３には、上下筐体ＭＳ１、ＭＳ２が開状態にあるか、または、閉状態にあるかを検出する第１の開閉検出部（図示せず）が設置されて、その第１の開閉検出部から開閉信号が出力されている。
【００１７】
なお、上下筐体ＭＳ１、ＭＳ２が開状態にあるか、または、閉状態にあるかを検出するために、上筐体ＭＳ１の上部の内部（ヒンジ部ＭＳ３から遠い部分）に第１の磁石ＭＳ４ａを埋め込み、下筐体ＭＳ２の下部の内部（ヒンジ部ＭＳ３から遠い部分）に第２の磁石ＭＳ４ｂを埋め込む。そして、閉状態にある場合、これらの第１、第２の磁石ＭＳ４ａ、ＭＳ４ｂの間の距離が小さいように配置してある。
【００１８】
そのため、閉状態にある場合、これらの第１、第２の磁石ＭＳ４ａ、ＭＳ４ｂ間に働く磁力によって、状態を検出する第２の開閉検出部（図示せず）を設置し、その第２の開閉検出部から開閉信号が出力されるとしても良い。また、第１の開閉検出部から出力される開閉信号と、第２の開閉検出部から出力される開閉信号とを用いて上下筐体ＭＳ１、ＭＳ２が開状態にあるか、または、閉状態にあるかを検出しても良い。
【００１９】
図２は、この移動通信装置の上筐体ＭＳ１をヒンジ部ＭＳ３によって回動させ、下筐体ＭＳ２に近づけて折畳みを閉じた時の外観を示し、図２（ａ）は前面図を、図２（ｂ）は側面図を示す。折畳みが閉じられた状態では、表示部１５は、折畳みの内側にあるため、使用者は、表示部１５に行われた表示を視認することができない。また、入力装置１６のキーの中で、側面キー１６ｅは使用者によって操作可能であるが、下筐体ＭＳ２の内面に設置されたキーは、操作できない。
【００２０】
一方、画像出力部２１による投影は、装置の外側に向かって行なわれるのであるから、画像出力部２１によって投影された画像は、上下筐体ＭＳ１、ＭＳ２が開状態にある場合と同じように、使用者は視認可能である。
【００２１】
図３は、本発明の実施形態に係わる情報処理装置が適用された移動通信装置の構成を示すブロック図である。この移動通信装置は、移動通信網（図示せず）を介した通信を行う装置であって、開閉信号ＭＳ３ａが入力され、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、表示部１５と、入力装置１６とを備える。
【００２２】
この移動通信装置は、更に、画像出力部２１と、画像記憶部２２と、投影画像選択部２３と、投影画像識別子記憶部２４と、画像投影制御部２５とを備える。画像記憶部２２には、画像２２ａが記憶される。投影画像識別子記憶部２４には、画像投影制御部２５によって投影される画像２２ａを識別する投影画像識別子２４ａが記憶される。
【００２３】
ここで、制御部１１と、投影画像選択部２３と、画像投影制御部２５とは、コンピュータを利用して動作するプログラムであっても良い。また、制御部１１は、ＯＳの動作を行う。
【００２４】
上記のように構成された、本発明の実施形態に係る移動通信装置の各部の動作を、図３を参照して説明する。まず、通信部１２ｂは、アンテナ１２ａが受信した高周波信号を送受信部１３へ出力し、また、送受信部１３から出力される高周波信号をアンテナ１２ａより送信する。
【００２５】
送受信部１３は、通信部１２ｂからの高周波信号を増幅、周波数変換及び復調し、それによって得られたデジタル音声信号を通話部１４ｃへ、また、制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００２６】
通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００２７】
表示部１５は、表示部１５が使用者によって視認可能である場合、即ち、開閉信号ＭＳ３ａによって上下筐体ＭＳ１、ＭＳ２が開状態にあると判断される場合、制御部１１に制御されることで、文字・数字や画像データの表示動作を行い、表示されているデータは、入力装置１６からのキー入力操作や着信信号に応答して制御部１１からの指示を受けることで切換わる。
【００２８】
なお、表示部１５が使用者によって視認不可能な場合、即ち、開閉信号ＭＳ３ａによって上下筐体ＭＳ１、ＭＳ２が閉状態にあると判断される場合、制御部１１は、表示部１５の表示動作を行わせない制御を行う。また、表示部１５のバックライトは、表示部１５が使用者によって視認不可能である場合、及び、所定の時間に渡って、使用者が入力装置１６のキーを操作せず、かつ、装置にイベントの発生がない場合、制御部１１によって消灯される。ここで、イベントには、着信信号の受信や、通話の終了などを含む。
【００２９】
入力装置１６は、通信相手の電話番号を指定するための数字キーと複数の機能キーを含むキーからなる。そして、入力装置１６のキーが入力操作されると、そのキー入力を受け付けて、そのキーの識別子が制御部１１に通知され、制御部１１及び制御部１１を経由してその識別子を受信した処理部によって、表示部１５に文字として表示され、また、動作が行われる。
【００３０】
画像出力部２１は、制御部１１に制御されることで、画像２２ａを投影する。投影画像選択部２３は、入力装置１６の所定のキー操作に基づいて、画像記憶部２２に記憶された画像２２ａを選択し、選択された画像２２ａの識別子を投影画像識別子記憶部２４に投影画像識別子２４ａとして追加記憶させる。
【００３１】
記憶される際、画像２２ａの識別子は、順序付けられて記憶され、その順序は、投影画像選択部２３によって定められる。また、投影画像選択部２３は、投影画像識別子記憶部２４に投影画像識別子２４ａを追加記憶させるだけでなく、投影画像識別子記憶部２４に記憶された投影画像識別子２４ａを削除させ、また、記憶の順序付けを変更させる。
【００３２】
画像投影制御部２５は、投影画像識別子記憶部２４に記憶された投影画像識別子２４ａによって識別される画像２２ａを画像記憶部２２から検索して、画像出力部２１に送って投影させる。
【００３３】
投影画像識別子記憶部２４に記憶された投影画像識別子２４ａが複数である場合、画像投影制御部２５は、１つの投影画像識別子２４ａによって識別される画像２２ａを所定時間に渡って投影させた後、異なる投影画像識別子２４ａによって識別される画像２２ａを投影させる。また、１つの投影画像識別子２４ａによって識別される画像２２ａを投影させた後、入力装置１６の所定のキー操作に基づいて、異なる投影画像識別子２４ａによって識別される画像２２ａを投影させる。
【００３４】
ここで、異なる投影画像識別子２４ａは、例えば、投影されている画像２２ａに対応する投影画像識別子２４ａの直後、または、直前に順序付けられた投影画像識別子２４ａである。また、最初に順序付けられた投影画像識別子２４ａである。更に、入力装置１６の所定のキー操作に基づいて指定された投影画像識別子２４ａなどである。
【００３５】
以下、本発明の実施形態に係わる移動通信装置の投影画像選択部２３が選択した画像２２ａを、画像投影制御部２５が画像出力部２１に投影させる動作を説明する。
【００３６】
図４は、画像記憶部２２に記憶される画像２２ａの構成の一例を示す。この画像２２ａは、画像識別子２２ｂと、作成日時２２ｃと、更新日時２２ｄと、画像の大きさ２２ｅと、画像データ２２ｆと、サムネイル画像データ２２ｇとが関連付けられた情報からなり、１組の関連付けられた情報が１つの画像２２ａに係わる情報である。
【００３７】
画像識別子２２ｂは、画像２２ａを一意に識別する情報である。作成日時２２ｃと、更新日時２２ｄと、画像の大きさ２２ｅと、サムネイル画像データ２２ｇとは、必ずしも画像２２ａを一意に識別する情報ではないものの、いずれも画像２２ａを識別する情報である。
【００３８】
作成日時２２ｃは、画像２２ａが最初に記憶された日時及び時刻である。更新日時２２ｄは、画像２２ａが最後に更新記憶された日時及び時刻である。画像の大きさ２２ｅは、画像データ２２ｆの記憶に要している記憶容量を示すバイト数である。
【００３９】
画像データ２２ｆは、１つの画像２２ａを示す情報である。この画像データ２２ｆは、静止画であっても良く、動画であっても良い。また、音声を伴っていても良い。更に、圧縮されていても良く、圧縮されていなくとも良い。また、ベクトル図形を示す情報など、画像２２ａを作成するために必要なデータであっても良い。
【００４０】
サムネイル画像データ２２ｇは、画像データ２２ｆに類似し、画像データ２２ｆの記憶に要する記憶容量より小さい記憶容量で記憶される静止画データである。画像データ２２ｆが静止画であれば、サムネイル画像データ２２ｇは、その画像データ２２ｆを、画素（ピクセル）数を減らすことによって、小さい画像に変換したものである。画像データ２２ｆが動画であれば、サムネイル画像データ２２ｇは、その画像データ２２ｆから切り出された任意の静止画を、画素（ピクセル）数を減らすことによって、小さい画像に変換したものである。
【００４１】
なお、サムネイル画像データ２２ｇは、画像２２ａに記憶されないとしても良い。その場合、以下の説明におけるサムネイル画像データ２２ｇの参照は、画像データ２２ｆからサムネイル画像データを作成することを意味する。
【００４２】
画像２２ａは、ファイルシステム（図示せず）によって管理されるとしても良い。その場合、画像データはファイルとして管理され、画像データ２２ｆには、そのファイルを指すポインターが記憶される。また、画像識別子２２ｂは、ファイル名であり、画像識別子２２ｂと、作成日時２２ｃと、更新日時２２ｄと、画像の大きさ２２ｅと、サムネイル画像データ２２ｇとは、フォルダに記憶される。サムネイル画像データは、ファイルとして管理され、サムネイル画像データ２２ｇには、そのファイルを指すポインターが記憶されても良い。
【００４３】
なお、１つの画像データがファイルとして管理されると限るものではなく、全ての画像データが１つのファイルとして管理され、１つの画像データは、そのファイル中の１つのページ、即ち、一時に投影される単位として管理されても良い。その場合、画像識別子２２ｂは、ページを識別する情報である。
【００４４】
図５は、投影画像識別子記憶部２４に記憶される投影画像識別子２４ａの構成の一例を示す。この投影画像識別子２４ａは、順序２４ｂと、画像識別子２４ｃと、選択部カーソル２４ｄと、投影部カーソル２４ｅとが関連付けられた情報からなり、１組の関連付けられた情報が１つの投影される画像２２ａに係わる情報である。言い換えると、投影画像識別子２４ａは、投影され得る画像２２ａの数に等しい数の関連付けられた情報を含み、投影画像識別子２４ａを参照することによって、投影され得る画像２２ａの数が得られる。
【００４５】
順序２４ｂは、投影され得る画像２２ａの順序付けを示す情報であり、それらの画像２２ａに対して１以上の自然数が、抜け及び重なることなく付されたものである。なお、順序２４ｂは、投影される画像２２ａの順序付けを説明するために用いるが、投影画像識別子２４ａに含まれなくとも良い。
【００４６】
順序２４ｂが投影画像識別子２４ａに含まれない場合、投影される画像２２ａに係る情報を順序付けて記憶し、何番目に記憶されているかによって投影される画像２２ａの順序付けが示されるとすれば良い。そして、投影される画像２２ａの数が得られる構成とし、画像２２ａは、最後に順序付けられたか否かが得られるとすれば良い。
【００４７】
画像識別子２４ｃは、画像２２ａの画像識別子２２ｂである。ここで、画像識別子２４ｃと等しい画像識別子２２ｂである画像２２ａを検索することによって、画像識別子２４ｃによって画像２２ａが識別される。そこで、説明を簡明にするため、この識別される画像２２ａを、画像識別子２２ｂを介した検索動作の説明を省略し、画像識別子２４ｃによって識別される画像２２ａと称する。
【００４８】
選択部カーソル２４ｄは、投影画像選択部２３によって投影画像識別子２４ａの操作がされる際、操作される投影画像識別子２４ａを識別するために、投影画像選択部２３によって記憶され、また、参照される識別子である。そして、操作の対象に係わる最大１つの投影画像識別子２４ａの選択部カーソル２４ｄに値（図５では、「○」と例示した。）が記憶される。
【００４９】
以後の説明で、ある投影画像識別子２４ａの選択部カーソル２４ｄに値を記憶させる動作は、その他の投影画像識別子２４ａの選択部カーソル２４ｄに値が記憶されていた場合、その値の記憶を消去することを併せて意味する。
【００５０】
投影部カーソル２４ｅは、画像投影制御部２５によって画像の投影制御がされる際、画像投影制御部２５によって記憶され、また、参照される識別子である。そして、投影される画像２２ａに係る最大１つの画像識別子２４ｃの投影部カーソル２４ｅに値（図５では、「○」と例示した。）が記憶される。
【００５１】
以後の説明で、ある投影画像識別子２４ａの投影部カーソル２４ｅに値を記憶させる動作は、その他の投影画像識別子２４ａの投影部カーソル２４ｅに値が記憶されていた場合、その値の記憶を消去することを併せて意味する。
【００５２】
なお、最大１つの画像識別子２４ｃの投影部カーソル２４ｅに値が記憶されることは、この実施形態では、画像投影制御部２５によって投影される画像２２ａは、同時には１つであることに起因している。複数の画像２２ａが同時に投影される場合、複数の画像識別子２４ｃの投影部カーソル２４ｅに値が記憶される。
【００５３】
選択部カーソル２４ｄと、投影部カーソル２４ｅとに値を記憶させることに代えて、それぞれに値が記憶された投影画像識別子２４ａの順序２４ｂが投影画像識別子記憶部２４に記憶されるとしても良い。また、以上説明した通り、それぞれ投影画像選択部２３の動作と、画像投影制御部２５の動作とに関して必要となる情報であるので、投影画像選択部２３と、画像投影制御部２５とによって共有されるメモリに記憶されるとしても良い。
【００５４】
図５で、順序２４ｂに「０」、選択部カーソル２４ｄに値が記憶され、または、記憶されず、かつ、画像識別子２４ｃ及び投影部カーソル２４ｅには値が記憶されることのない、最初に順序付けられる仮想的な投影画像識別子２４ａが記憶されると例示した。この１組の関連付けられた情報は、以下の説明では、常に記憶されるとし、投影画像選択部２３の動作及び画像投影制御部２５の動作の説明のために用いる。
【００５５】
しかし、この情報は、記憶されると限るものではない。最初に順序付けられた投影される画像２２ａに係わる実質を伴う投影画像識別子２４ａ（図５に示す例では、順序２４ｂが「１」である投影画像識別子２４ａ。）より前の、仮想的な投影画像識別子２４ａの選択部カーソル２４ｄに値が記憶され得ることが記憶される構成であれば良い。または、プログラムとして記述されれば良い。
【００５６】
選択部カーソル２４ｄに値が記憶される投影画像識別子２４ａのデフォルトは、最後に順序付けられた、即ち、順序２４ｂが最大の値である投影画像識別子２４ａである。一方、投影部カーソル２４ｅに値が記憶される投影画像識別子２４ａのデフォルトは、最初に順序付けられた実質を伴う、即ち、順序２４ｂが「１」である投影画像識別子２４ａである。
【００５７】
次に、投影画像選択部２３が画像２２ａを選択し、選択された画像２２ａの画像識別子２２ｂを画像識別子２４ｃに設定した投影画像識別子２４ａを記憶させる動作を説明し、更に、画像投影制御部２５が投影画像識別子２４ａの画像識別子２４ｃによって識別される画像２２ａを画像出力部２１に投影させる動作を説明する。
【００５８】
なお、これらの２つの動作は、排他的ではなく、同時に行なわれることもある。また、投影画像選択部２３は、投影画像識別子２４ａを記憶させる際、既に記憶された投影画像識別子２４ａを参照して、順序付けて記憶させる。
【００５９】
図６は、投影画像選択部２３が画像２２ａを選択し、選択された画像２２ａの画像識別子２２ｂを画像識別子２４ｃに設定した投影画像識別子２４ａを記憶させる第１の動作のフローチャートを示す。この第１の動作は、投影される画像２２ａを追加する、特に、投影される順に追加する際の動作であって、例えば、実質を伴う投影画像識別子２４ａが記憶されていない場合、即ち、投影画像識別子２４ａを新規に記憶させる場合に適した動作である。
【００６０】
投影画像選択部２３は、入力装置１６の所定のキー操作に基づいて制御部１１によって起動されて、上記第１の動作を開始する（ステップＳ２３ａ）。そして、画像２２ａを識別する情報を表示部１５に一覧表示させ、その中の１つの画像２２ａを選択し、その画像２２ａを識別する情報を強調表示させる（ステップＳ２３ｂ）。
【００６１】
ここで、一覧表示の順は、画像識別子２２ｂの順、作成日時２２ｃの順、更新日時２２ｄの順、画像の大きさ２２ｅの順のいずれかを第１に、第１の順が同じ場合（画像の大きさ２２ｅは、同じ値である可能性がある。）、その他の順のいずれかを第２にしたもののである。なお、順は、小さいものを先にと、大きなものを先にとのいずれか一方である。また、投影画像選択部２３の動作直後に強調表示させる画像２２ａを識別する情報は、一覧表示の際、最初の位置に表示された情報であるが、これに限るものではない。最後の位置に表示された情報であっても良い。
【００６２】
図７は、画像２２ａを識別する情報が表示部１５に一覧表示された一例を示す。この一例では、表示部１５の上部から中央部には、図４に示す画像２２ａを識別する情報として、画像２２ａのサムネイル画像データ２２ｇ及び画像識別子２２ｂからなる画像識別情報表示１５ａが、表示部１５の左下部には、「選択」なる第１の機能表示１５ｂが、そして、表示部１５の右下部には、「戻る」なる第２の機能表示１５ｃが表示されている。なお、画像２２ａのサムネイル画像データ２２ｇ及び画像識別子２２ｂを、以後、画像アイコンと称する。
【００６３】
画像識別情報表示１５ａ内の画像アイコンの表示の順は、画像識別子２２ｂが小さいものを先にする順を例示した。なお、画像識別子２２ｂは、文字列であるが、画像識別子２２ｂが小さいものを先にする順は、その文字列をアルファベット文字順にソートした順である。そして、１つの画像アイコンは、表示部１５に数行、更に、１行に３つが表示されるとしている。そして、先に表示されるものは、上の行に、同じ行にあれば、左に表示されるとしている。この表示位置の順は、横書きで文章を記載する際の、文字の配置順に準じており、装置の使用者の実感に合うものである。
【００６４】
また、画像識別子２２ｂが「ＡＡ」であり、最上行の最左に表示された画像アイコンが強調表示されていることを、その画像アイコンにハッチングを施すことによって示す。なお、強調表示の手段は、ハッチングに限るものではない。例えば、画像アイコンに含まれるサムネイル画像データ２２ｇの枠の色を、他のサムネイル画像データ２２ｇの枠と異なる色としても良い。要は、他の画像アイコンと異なる表示がされれば良い。
【００６５】
図６を参照した投影画像選択部２３の動作説明に戻る。投影画像選択部２３は、操作された入力装置１６のキーを調べる（ステップＳ２３ｃ）。そのキーが十字選択キー１６ｂである場合、強調表示される画像アイコンを選択し直す。即ち、操作されたキーが上向きキー、下向きキー、左向きキー、右向きキーのいずれであるかによって、強調表示される画像アイコンを、それぞれ、１つ上、１つ下、１つ左、１つ右に配置された画像アイコンに移動させて、ステップＳ２３ｂの画像アイコンを表示部１５に一覧表示させ、その中の１つの画像アイコンを強調表示させる動作に移る。
【００６６】
なお、強調表示された画像アイコンがある行の最左に位置している場合、投影画像選択部２３は、十字選択キー１６ｂの左向きキーの操作によって、その行の１つ上の行の最右の画像アイコンを強調表示させる。同様に、強調表示された画像アイコンがある行の最右に位置している場合、十字選択キー１６ｂの右向きキーの操作によって、その行の１つ下の行の最左の画像アイコンを強調表示させる。
【００６７】
一方、操作された入力装置１６のキーが決定キー１６ａである場合、投影画像選択部２３は、強調表示されている画像アイコンによって識別される画像２２ａの画像識別子２２ｂを投影画像選択部２３内に記憶する（ステップＳ２３ｄ）。そして、実質を伴う投影画像識別子２４ａを識別する情報を順序２４ｂの順に表示部１５に一覧表示させると共に、選択部カーソル２４ｄに値が記憶されている、実質を伴うまたは仮想的な投影画像識別子２４ａを識別する情報の後にカーソルを表示させる（ステップＳ２３ｅ）。
【００６８】
ここで、後とは、その投影画像識別子２４ａを識別する情報と、その投影画像識別子２４ａの直後に順序付けられた投影画像識別子２４ａを識別する情報との間である。なお、この一覧表示の際、投影部カーソル２４ｅに値が記憶されている投影画像識別子２４ａを識別する情報を強調表示させても良い。この投影画像識別子２４ａを強調表示させることについては、後述する。
【００６９】
図８は、図５に示す投影画像識別子２４ａを識別する情報が表示部１５に一覧表示された一例を示す。この一例では、表示部１５の上部から中央部には、図５に示す実質を伴う投影画像識別子２４ａを識別する情報として、その投影画像識別子２４ａの画像識別子２４ｃによって識別される画像２２ａのサムネイル画像データ２２ｇ及び画像識別子２２ｂが順序２４ｂの順に、即ち、順序２４ｂが小さいものが先に配置された投影画像識別情報表示１５ｄが表示されている。
【００７０】
表示の順と、画像アイコンが表示される位置との対応は、図７を参照して説明した、画像アイコンの表示の際と同じである。更に、表示部１５の左下部には、「選択」なる第１の機能表示１５ｂが、そして、表示部１５の右下部には、「戻る」なる第２の機能表示１５ｃが表示されている。
【００７１】
なお、投影画像識別情報表示１５ｄにおいても、画像２２ａのサムネイル画像データ２２ｇ及び画像識別子２２ｂを画像アイコンと称する。ここで、投影画像識別情報表示１５ｄの画像アイコンによって、画像２２ａが視認されるのみならず、その画像アイコンが表示された位置によって、順序２４ｂが識別されるので、投影画像識別子２４ａが識別可能である。
【００７２】
また、カーソル位置は、縦の棒線によって示す。図５で、順序２４ｂが「４」である投影画像識別子２４ａの選択部カーソル２４ｄに値が記憶されている。そこで、カーソルは、その投影画像識別子２４ａを識別する画像アイコンの後に表示されている。ここで、最後に順序付けられた投影画像識別子２４ａを識別する情報の後とは、図８に例示するように、その投影画像識別子２４ａを識別する情報の右側の近傍である。
【００７３】
なお、順序２４ｂが「０」である投影画像識別子２４ａを識別する画像アイコンは、表示されない。そこで、順序２４ｂが「０」である投影画像識別子２４ａの選択部カーソル２４ｄに値が記憶されている場合、カーソルは、図９に例示するように、表示部１５の左上隅に表示される。
【００７４】
なお、以後の説明で、順序２４ｂが「０」である投影画像識別子２４ａの選択部カーソル２４ｄに値が記憶されている場合、カーソルは、表示部１５の左上隅に表示されることを含め、カーソルは、選択部カーソル２４ｄに値が記憶されている投影画像識別子２４ａを識別する画像アイコンの後に表示されると述べる。即ち、順序２４ｂが「０」である投影画像識別子２４ａを識別する画像アイコンは、表示されないものの、カーソル位置の前に存在すると仮定して説明する。
【００７５】
また、動作の開始の後、最初に投影画像識別情報表示１５ｄを表示部１５に表示させる際、いずれの投影画像識別子２４ａの選択部カーソル２４ｄにも値が記憶されていない場合、投影画像選択部２３は、最後に順序付けられた、即ち、順序２４ｂが最大である投影画像識別子２４ａの選択部カーソル２４ｄに値を記憶させる。そして、この投影画像識別子２４ａに従って、最後に順序付けられた投影画像識別子２４ａを識別する画像アイコンが強調表示された投影画像識別情報表示１５ｄを表示させる。
【００７６】
更に、図５で、順序２４ｂが「２」である投影画像識別子２４ａの投影部カーソル２４ｅに値が記憶されている。そこで、最上行の中央（左から２つ目。）の画像アイコンが強調表示されていることを、その画像アイコンにハッチングを施すことによって示す。
【００７７】
図６を参照した投影画像選択部２３の動作説明に戻る。投影画像選択部２３は、続いて、操作された入力装置１６のキーを調べる（ステップＳ２３ｆ）。そのキーが十字選択キー１６ｂである場合、選択部カーソル２４ｄに値が記憶された投影画像識別子２４ａを、現在選択部カーソル２４ｄに値が記憶された投影画像識別子２４ａから異なるものに更新して、この更新がされた投影画像識別子２４ａを投影画像識別子記憶部２４に更新記憶させる（ステップＳ２３ｇ）。
【００７８】
即ち、投影画像選択部２３は、操作されたキーが上向きキー、下向きキー、左向きキー、右向きキーのいずれであるかによって、それぞれ、順序２４ｂが３つ少ない、順序２４ｂが３つ多い、順序２４ｂが１つ少ない、順序２４ｂが１つ多い、実質を伴うまたは仮想的な投影画像識別子２４ａの選択部カーソル２４ｄに値を設定し、投影画像識別子記憶部２４に更新記憶させる。ここで、上記３つとは、図８で、１行に３つの画像アイコンが表示されていることに起因する。
【００７９】
そして、投影画像選択部２３は、ステップＳ２３ｅの実質を伴う投影画像識別子２４ａを識別する画像アイコンを一覧表示させ、選択部カーソル２４ｄに値が記憶されている投影画像識別子２４ａを識別する画像アイコンの後にカーソルを表示させる動作に移る。この際、カーソルが表示される位置は、上記説明した動作に従って、変更される。
【００８０】
一方、操作された入力装置１６のキーが決定キー１６ａである場合、投影画像選択部２３は、カーソル表示の前に表示された画像アイコンによって識別される実質を伴うまたは仮想的な投影画像識別子２４ａの直後に順序付けて、ステップＳ２３ｄで記憶された画像識別子２２ｂを画像識別子２４ｃとする実質を伴う投影画像識別子２４ａを追加し、投影画像識別子２４ａを投影画像識別子記憶部２４に更新記憶させる（ステップＳ２３ｈ）。
【００８１】
なお、この追加に伴い、投影画像識別子２４ａの順序２４ｂは、既に説明した自然数を設定し直す。また、この追加される投影画像識別子２４ａの選択部カーソル２４ｄに値を記憶させる。なお、この追加される投影画像識別子２４ａの投影部カーソル２４ｅには、値を記憶させない。
【００８２】
そして、投影画像選択部２３は、ステップＳ２３ｂの画像２２ａを識別する情報を表示部１５に一覧表示させ、その中の１つの画像２２ａを識別する情報を強調表示させる動作に移る。
【００８３】
投影画像選択部２３は、入力装置１６の所定のキー操作に基づいて、任意の動作ステップにおいて第１の動作を終了する。また、決定キー１６ａの操作に代えて、第１の機能表示１５ｂの近くに位置する第１の機能キー１６ｃの操作でも同じ動作をする。なぜなら、第１の機能表示１５ｂは、「選択」であり、第１の機能キー１６ｃの操作によって、「選択」の動作、即ち、選択が決定されるからである。
【００８４】
なお、動作終了の際、投影画像選択部２３は、選択部カーソル２４ｄの値を消去しても良い。消去する動作によれば、次回起動された際、投影画像選択部２３は、最後に順序付けられた、即ち、順序２４ｂが最大である投影画像識別子２４ａを識別する情報を強調表示された投影画像識別情報表示１５ｄを表示部１５に表示させる。
【００８５】
そこで、次回も投影画像識別子２４ａを最後に順序付けつつ、追加記憶させる、言い換えると、画像出力部２１に投影させる画像２２ａを、既に投影させると記憶させた画像２２ａの末尾に追加する場合に適している。ここで、順序２４ｂが最大である投影画像識別子２４ａは、実質を伴うことも、仮想的であることもある。
【００８６】
一方、消去しない動作によれば、次回起動された際、投影画像選択部２３は、今回操作した投影画像識別子２４ａを識別する情報が強調表示された投影画像識別情報表示１５ｄを表示部１５に表示させるので、次回は、今回操作した投影画像識別子２４ａ、もしくは、その近くに順序付けられた投影画像識別子２４ａを操作、または、これらの投影画像識別子２４ａの近くに投影画像識別子２４ａを追加記憶させる場合に適している。
【００８７】
更に、第２の機能表示１５ｃの近くに位置する第２の機能キー１６ｄの操作によって、投影画像選択部２３は、直前に行われた入力装置１６の所定のキー操作がされなかった状態に戻る。または、図６のフローチャートで、直前の動作ステップの動作がされなかった状態に戻る。なぜなら、第２の機能表示１５ｃは、「戻る」であり、第２の機能キー１６ｄの操作によって、直前の動作が行われる前の状態に戻る動作がされるからである。
【００８８】
図１０は、投影画像選択部２３が画像２２ａを選択し、選択された画像２２ａの画像識別子２２ｂを画像識別子２４ｃに設定した実質を伴う投影画像識別子２４ａを記憶させる第２の動作のフローチャートを示す。この第２の動作は、例えば、投影画像識別子２４ａが既に記憶されている場合、即ち、投影画像識別子２４ａを更新記憶させる場合に適した動作である。なお、この第２の動作は、第１の動作と同じ動作ステップを含む。そこで、同じ動作ステップには同じ符号を付して説明を省略する。
【００８９】
投影画像選択部２３は、入力装置１６の所定のキー操作に基づいて制御部１１によって起動されて、上記第２の動作を開始する（ステップＳ２３ｍ）。そして、ステップＳ２３ｅ〜ステップＳ２３ｇの、投影画像識別情報表示１５ｄの表示と、選択部カーソル２４ｄに値を記憶された投影画像識別子２４ａの決定動作との後、入力装置１６の所定のキー操作に基づく投影画像識別子２４ａに対する編集指示を入力し、その指示を調べる（ステップＳ２３ｎ）。
【００９０】
その指示が追加である場合、投影画像選択部２３は、ステップＳ２３ｂと、ステップＳ２３ｃの、画像識別情報表示１５ａの表示動作と、１つの画像２２ａの決定動作との後、ステップＳ２３ｈの、決定された画像２２ａの画像識別子２２ｂを画像識別子２４ｃとする実質を伴う投影画像識別子２４ａを、決定された投影画像識別子２４ａの直後に順序付けて追加記憶させる動作の後、ステップＳ２３ｅの投影画像識別情報表示１５ｄの表示の動作に移る。
【００９１】
ここで、ステップＳ２３ｎで入力された指示が追加である場合、この第２の動作と、上述した第１の動作とは、追加される画像２２ａの決定と、追加される投影画像識別子２４ａの順序の決定との２つの決定のいずれを先にするかの相違であり、その他は同じである。
【００９２】
一方、ステップＳ２３ｎで、入力された指示が削除である場合、投影画像選択部２３は、選択部カーソル２４ｄに値が記憶されている実質を伴う投影画像識別子２４ａを削除して、投影画像識別子記憶部２４に更新記憶させ（ステップＳ２３ｏ）、ステップＳ２３ｅの投影画像識別情報表示１５ｄの表示の動作に移る。
【００９３】
ここで、投影画像選択部２３は、削除される投影画像識別子２４ａの直後に順序付けられていた投影画像識別子２４ａの選択部カーソル２４ｄに値を記憶させる。ただし、削除される投影画像識別子２４ａが最後に順序付けられていた場合、削除の後に最後に順序付けられる投影画像識別子２４ａの選択部カーソル２４ｄに値を記憶させる。
【００９４】
なお、削除される投影画像識別子２４ａの投影部カーソル２４ｅに値が記憶されている場合、投影画像選択部２３は、削除される投影画像識別子２４ａの直後に順序付けられていた投影画像識別子２４ａの投影部カーソル２４ｅに値を記憶させる。ただし、削除される投影画像識別子２４ａが最後に順序付けられていた場合、削除の後に最後に順序付けられる投影画像識別子２４ａの投影部カーソル２４ｅに値を記憶させる。投影画像識別子２４ａの投影部カーソル２４ｅに値を記憶させることによる投影される画像の制御については、画像投影制御部２５の動作説明の際に説明する。
【００９５】
一方、ステップＳ２３ｎで、入力された指示が順序変更である場合、投影画像選択部２３は、変更先の実質を伴うまたは仮想的な投影画像識別子２４ａを設定する（ステップＳ２３ｐ）。この変更先の投影画像識別子２４ａの設定は、ステップＳ２３ｅ〜ステップＳ２３ｇの、投影画像識別情報表示１５ｄの表示と、選択部カーソル２４ｄに値を記憶された投影画像識別子２４ａの決定動作と同じ動作によって行われる。そこで、説明を省略する。
【００９６】
そして、投影画像選択部２３は、選択部カーソル２４ｄに値が記憶されている投影画像識別子２４ａの順序付けを変更する。即ち、その投影画像識別子２４ａを、ステップＳ２３ｐで設定された変更先の投影画像識別子２４ａの直後に順序付けて（ステップＳ２３ｑ）、ステップＳ２３ｅの投影画像識別情報表示１５ｄの表示の動作に移る。なお、この順序変更は、順序２４ｂの値の変更を伴う。また、選択部カーソル２４ｄに値が記憶された投影画像識別子２４ａの変更は伴わない。更に、投影部カーソル２４ｅに値が記憶された投影画像識別子２４ａの変更は伴わない。
【００９７】
なお、投影画像選択部２３は、投影画像識別子２４ａに変更が加えられ、投影画像識別子記憶部２４に更新記憶させ、かつ、画像投影制御部２５が動作中である場合、投影画像識別子２４ａに変更が加えられた旨を画像投影制御部２５に通知する。この通知は、割り込みによっても良く、また、共有メモリへの書き込みによっても良い。なお、選択部カーソル２４ｄに値が記憶された投影画像識別子２４ａが変更されたのみである場合、この通知は行なわなくとも良い。
【００９８】
投影画像選択部２３は、入力装置１６の所定のキー操作に基づいて、任意の動作ステップにおいて第２の動作を終了する。また、決定キー１６ａの操作に代えて、第１の機能表示１５ｂの近くに位置する第１の機能キー１６ｃの操作でも同じ動作をする。
【００９９】
なお、動作終了の際、投影画像選択部２３は、選択部カーソル２４ｄの値を消去しても良く、消去しなくとも良いことは、投影画像選択部２３の第１の動作の説明の際に説明した通りである。
【０１００】
更に、第２の機能表示１５ｃの近くに位置する第２の機能キー１６ｄの操作によって、投影画像選択部２３は、直前に行われた入力装置１６の所定のキー操作がされなかった状態に戻る。または、図１０のフローチャートで、直前の動作ステップの動作がされなかった状態に戻る。
【０１０１】
なお、この投影画像選択部２３の第２の動作のステップＳ２３ｎで、更に、コピーの編集指示を入力するとしても良い。コピーの動作は、順序変更の動作と類似している。即ち、順序変更では、選択部カーソル２４ｄに値が記憶されている投影画像識別子２４ａを、ステップＳ２３ｐで設定された変更先の投影画像識別子２４ａの直後に順序付けて移動させるのに対し、コピーでは、選択部カーソル２４ｄに値が記憶されている投影画像識別子２４ａを、ステップＳ２３ｐで設定された変更先の投影画像識別子２４ａの直後にコピーさせる。
【０１０２】
なお、選択部カーソル２４ｄに値が記憶される投影画像識別子２４ａは、ステップＳ２３ｐで設定された変更先の投影画像識別子２４ａの直後に順序付けられた、コピーされた投影画像識別子２４ａであるが、これに限るものではない。コピー前から選択部カーソル２４ｄに値が記憶された投影画像識別子２４ａであるとしても良い。
【０１０３】
なお、第１の動作中であるか、第２の動作中であるかを問わず、ステップＳ２３ｆの選択部カーソル２４ｄに値が記憶された投影画像識別子２４ａを、現在選択部カーソル２４ｄに値が記憶された投影画像識別子２４ａから異なるものに更新する際、投影画像選択部２３は、入力装置１６の所定のキー操作に基づいて、投影部カーソル２４ｅに値が記憶された実質を伴う投影画像識別子２４ａの選択部カーソル２４ｄに値を記憶させる。
【０１０４】
この動作は、投影画像選択部２３は、画像投影制御部２５によって投影されている、または、直近の過去に投影された画像２２ａを識別する画像識別子２４ｃの近くに順序付けて、投影画像識別子２４ａを追加、削除などの編集を行なうための動作である。
【０１０５】
即ち、装置の使用者が画像を投影させて発表中、投影を停止させて発表を休止中、または、１回の発表を終えて、次回の発表前などに、投影中、または、直近の過去に投影された画像の近くに順序付けて新たな画像の追加、また、投影中の画像の近くに順序付けられた画像の削除などの編集を行い、発表前には投影が予定されていなかった画像を投影させる、また、投影が予定されていた画像を投影させないなどの変更を直ちに行なうために有効である。
【０１０６】
このように、投影画像選択部２３の第１の動作と、第２の動作とは、相対するものではない。入力装置１６の所定のキー操作に基づいて、第１の動作を開始後、第２の動作に移っても良い。即ち、投影画像識別子２４ａの追加を続けた後、その編集に移っても良い。また、第２の動作を開始後、第１の動作に移っても良い。即ち、投影画像識別子２４ａの編集の後、その追加を続けても良い。これらの動作を移ることによって、ステップＳ２３ｎの編集指示の入力の有無が変化する。
【０１０７】
次に、画像投影制御部２５が実質を伴う投影画像識別子２４ａの画像識別子２４ｃによって識別される画像２２ａを画像出力部２１に投影させる動作を説明する。図１１は、画像投影制御部２５が実質を伴う投影画像識別子２４ａの画像識別子２４ｃによって識別される画像２２ａを画像出力部２１に投影させる動作のフローチャートを示す。
【０１０８】
画像投影制御部２５は、入力装置１６の所定のキー操作に基づいて制御部１１によって起動されて、上記動作を開始する（ステップＳ２５ａ）。そして、実質を伴う投影画像識別子２４ａを識別する情報を順序２４ｂの順に表示部１５に一覧表示させ、投影部カーソル２４ｅに値が記憶されている投影画像識別子２４ａを識別する情報を強調表示させる（ステップＳ２５ｂ）。なお、この一覧表示の際、図８を参照して説明したように、選択部カーソル２４ｄに値が記憶されている投影画像識別子２４ａを識別する情報の後にカーソルを表示させても良い。
【０１０９】
なお、投影部カーソル２４ｅに値が記憶されている投影画像識別子２４ａがない場合、画像投影制御部２５は、順序２４ｂが「１」である投影画像識別子２４ａの投影部カーソル２４ｅに値を記憶させて、投影画像識別子２４ａを更新記憶させた上で、順序２４ｂが「１」である投影画像識別子２４ａを識別する情報を強調表示させる。
【０１１０】
図１２は、図５に示す投影画像識別子２４ａを識別する情報が表示部１５に一覧表示された一例を示す。この一例では、表示部１５の上部から中央部には、図５に示す実質を伴う投影画像識別子２４ａを識別する情報として、その投影画像識別子２４ａの画像識別子２４ｃによって識別される画像２２ａのサムネイル画像データ２２ｇ及び画像識別子２２ｂが順序２４ｂの順に配置された投影画像識別情報表示１５ｅが表示されている。
【０１１１】
順序付けと、画像アイコンが表示される位置との対応は、図７を参照して説明した、画像アイコンの表示の際と同じである。また、投影画像識別情報表示１５ｅにおいても、画像２２ａのサムネイル画像データ２２ｇ及び画像識別子２２ｂを画像アイコンと称する。更に、表示部１５の左下部には、「選択」なる第１の機能表示１５ｂが、そして、表示部１５の右下部には、「戻る」なる第２の機能表示１５ｃが表示されている。
【０１１２】
また、図５で、順序２４ｂが「２」であり、画像識別子２４ｃが「ＡＡ」である投影画像識別子２４ａの投影部カーソル２４ｅに値が記憶されている。そこで、最上行の中央（左から２つ目。）の画像識別子２２ｂが「ＡＡ」である画像アイコンが強調表示されていることを、その画像アイコンにハッチングを施すことによって示す。なお、強調表示の手段は、ハッチングに限るものではない。例えば、画像アイコンに含まれるサムネイル画像データ２２ｇの枠の色を、他のサムネイル画像データ２２ｇの枠と異なる色としても良い。
【０１１３】
更に、図５で、順序２４ｂが「４」である投影画像識別子２４ａの選択部カーソル２４ｄに値が記憶されている。そこで、カーソルは、その投影画像識別子２４ａを識別する画像アイコンの後に表示されている。
【０１１４】
この図１２を参照して説明した投影画像識別情報表示１５ｅを含む表示は、図８を参照して説明した投影画像識別情報表示１５ｄを含む表示と同じである。しかし、投影画像識別情報表示１５ｄは、投影部カーソル２４ｅに値が記憶された画像識別子２４ｃを識別する画像アイコンが強調表示されなくとも良い。一方、投影画像識別情報表示１５ｅは、縦の棒線によって、選択部カーソル２４ｄに基づいたカーソル位置が示されなくとも良い。
【０１１５】
図１１を参照した画像投影制御部２５の動作説明に戻る。画像投影制御部２５は、続いて、操作された入力装置１６のキーを調べる。ここで、投影画像選択部２３から通知が送られたか否かを併せて調べる（ステップＳ２５ｃ）。そのキーが十字選択キー１６ｂである場合、投影部カーソル２４ｅに値が記憶された投影画像識別子２４ａを、現在投影部カーソル２４ｅに値が記憶された投影画像識別子２４ａから異なるものに更新して、この更新がされた投影画像識別子２４ａを投影画像識別子記憶部２４に更新記憶させる（ステップＳ２５ｄ）。
【０１１６】
即ち、画像投影制御部２５は、操作されたキーが上向きキー、下向きキー、左向きキー、右向きキーのいずれであるかによって、それぞれ、順序２４ｂが３つ少ない、順序２４ｂが３つ多い、順序２４ｂが１つ少ない、順序２４ｂが１つ多い投影画像識別子２４ａの投影部カーソル２４ｅに値を記憶させる。ここで、上記３つとは、図１２で、１行に３つの画像アイコンが表示されていることに起因する。
【０１１７】
そして、画像投影制御部２５は、ステップＳ２５ｂの投影画像識別子２４ａを識別する画像アイコンを表示部１５に一覧表示させ、投影部カーソル２４ｅに値が記憶されている投影画像識別子２４ａを識別する画像アイコンを強調表示させる動作に移る。この際、強調表示される画像アイコンは、上記説明した動作に従って、変更される。
【０１１８】
一方、ステップＳ２５ｃで、投影画像選択部２３から投影画像識別子２４ａに変更が加えられた旨の通知が送られた場合、画像投影制御部２５は、ステップＳ２５ｂの投影画像識別子２４ａを識別する画像アイコンを表示部１５に一覧表示させ、投影部カーソル２４ｅに値が記憶されている投影画像識別子２４ａを識別する画像アイコンを強調表示させる動作に移る。なぜなら、投影画像選択部２３から通知が送られたことは、投影画像識別子２４ａに何らかの変化があったことを意味するので、その変化を表示部１５の表示に反映させるためである。
【０１１９】
一方、ステップＳ２５ｃで、操作された入力装置１６のキーが決定キー１６ａである場合、画像投影制御部２５は、画像出力部２１に電力を供給して動作させると共に、強調表示された画像アイコンによって識別される投影画像識別子２４ａの画像識別子２４ｃによって識別される画像２２ａの画像データ２２ｆを投影する画像データ２２ｆとして選択し、その画像データ２２ｆを画像出力部２１に送って投影させる（ステップＳ２５ｅ）。
【０１２０】
なお、画像投影制御部２５が動作を開始し、ステップＳ２５ｂの動作の後、ステップＳ２５ｃの動作を１回目に行う場合、画像投影制御部２５は、ステップＳ２５ｃで、入力装置１６のキーが操作された、そして、そのキーは、決定キー１６ａであると見なしても良い。このように見なすことにより、動作開始後、直ちに画像データ２２ｆを投影させることができる。
【０１２１】
画像投影制御部２５は、続いて、入力装置１６のキー操作によって入力された投影指示を調べ、投影指示が、投影される画像データ２２ｆの変更であるか、投影の一時停止であるかを判断する。ここで、投影画像選択部２３から通知が送られたか否かを併せて調べる（ステップＳ２５ｆ）。まず、いかなる場合、入力された投影指示が投影される画像データ２２ｆの変更の指示であると判断されるかを説明する。
【０１２２】
なお、投影される画像データ２２ｆの変更は、強調表示される画像アイコンを変更することと同義である。そこで、投影される画像データ２２ｆの変更のための操作は、強調表示される画像アイコンの変更のための操作と見なしても良い。投影される画像データ２２ｆの変更は、以下のような操作による。第１に、ステップＳ２５ｃで説明したように、十字選択キー１６ｂの操作による。なお、１つの画像２２ａが所定時間に渡って投影された際、十字選択キー１６ｂの右方向キーの操作がされたとみなしても良い。
【０１２３】
第２に、実質を伴う最初に位置付けられた投影画像識別子２４ａ（順序２４ｂが「１」である投影画像識別子２４ａ。）に変更するための入力装置１６の所定のキー操作による。また、強調表示されている画像アイコンが最後に順序付けられた画像アイコンであり、その画像アイコンに対応する画像２２ａが投影されている場合、十字選択キー１６ｂの右方向キーが操作された際、または、その画像２２ａが所定時間に渡って投影された際、実質を伴う最初に順序付けられた投影画像識別子２４ａに変更するための入力装置１６の所定のキー操作がされたとみなしても良い。
【０１２４】
第３に、最後に順序付けられた投影画像識別子２４ａに変更するための入力装置１６の所定のキー操作による。第４に、強調表示されている画像アイコンのｎつ（ここで、ｎは、１以上の自然数、１≦ｎ。）前に順序付けられた投影画像識別子２４ａに変更するための入力装置１６の所定のキー操作による。第５に、強調表示されている画像アイコンのｎつ（ここで、ｎは、１以上の自然数、１≦ｎ。）後に順序付けられた投影画像識別子２４ａに変更するための入力装置１６の所定のキー操作による。第６に、最初からｎ番目（ここで、ｎは、１以上の自然数、１≦ｎ。）に順序付けられた投影画像識別子２４ａに変更するための入力装置１６の所定のキー操作による。
【０１２５】
第７に、選択部カーソル２４ｄが記憶された投影画像識別子２４ａに変更するための入力装置１６の所定のキー操作による。この操作によれば、選択部カーソル２４ｄに値が記憶された投影画像識別子２４ａを示す縦の棒線の前の画像アイコンが強調表示されることになる。
【０１２６】
なお、選択部カーソル２４ｄに値が記憶された投影画像識別子２４ａの順序２４ｂが「０」である場合、上記操作によって、投影される画像データ２２ｆは、順序２４ｂが「１」である投影画像識別子２４ａの画像識別子２４ｃによって識別される画像２２ａの画像データ２２ｆへ変更される。
【０１２７】
ステップＳ２５ｆで、操作された入力装置１６のキーが、投影される画像データ２２ｆの変更を指示する場合、画像投影制御部２５は、新たに強調表示された画像アイコンに対応する画像識別子２４ｃと関連付けられた投影部カーソル２４ｅに値を記憶させ、投影画像識別子２４ａを更新記憶させる（ステップＳ２５ｇ）。
【０１２８】
そして、画像投影制御部２５は、上記説明したように、強調表示される画像アイコンが変更された投影画像識別情報表示１５ｅを表示部１５に表示させる（ステップＳ２５ｈ）と共に、強調表示された画像アイコンによって識別される投影画像識別子２４ａの画像識別子２４ｃによって識別される画像２２ａの画像データ２２ｆを画像出力部２１に送って投影させ（ステップＳ２５ｉ）、ステップＳ２５ｆの入力装置１６のキー操作によって入力された投影指示を調べる動作に移る。
【０１２９】
一方、ステップＳ２５ｆで、操作された入力装置１６のキーが、投影を一時停止する指示の場合、画像投影制御部２５は、画像出力部２１への電力供給を停止して、動作を停止させて（ステップＳ２５ｊ）、ステップＳ２５ｃの、操作された入力装置１６のキーを調べる動作に移る。このステップＳ２５ｃの動作に戻ることによって、画像投影制御部２５は、画像出力部２１による電力消費なしに、次に投影する画像２２ａの画像データ２２ｆを選択することができる。
【０１３０】
一方、ステップＳ２５ｆで、投影画像選択部２３から投影画像識別子２４ａに変更が加えられた旨の通知が送られた場合、画像投影制御部２５は、ステップＳ２５ｈの投影画像識別情報表示１５ｅを表示部１５に表示させる動作に移る。なぜなら、投影画像選択部２３から通知が送られたことは、投影画像識別子２４ａに何らかの変化があったことを意味するので、その変化を反映させるためである。ここで、上記変化によって、投影画像識別情報表示１５ｅに変化があるばかりでなく、画像出力部２１に投影させる画像２２ａの変化があり得る。
【０１３１】
画像投影制御部２５は、入力装置１６の所定のキー操作に基づいて、任意の動作ステップにおいて画像２２ａを画像出力部２１に投影させる動作を終了する。また、決定キー１６ａの操作に代えて、第１の機能表示１５ｂの近くに位置する第１の機能キー１６ｃの操作でも同じ動作をする。ここで、動作の終了の前に、画像出力部２１の電源供給を停止する。
【０１３２】
なお、動作終了の際、画像投影制御部２５は、投影部カーソル２４ｅの値を消去しても良い。消去する動作によれば、次回起動された際、画像投影制御部２５は、順序２４ｂが「１」である投影画像識別子２４ａを識別する情報を強調表示された投影画像識別情報表示１５ｅを表示部１５に表示させる。そこで、次回も画像識別子２４ｃによって識別される画像２２ａを、その画像識別子２４ｃと関連付けられた順序２４ｂによる順序付け通りに画像出力部２１に投影させる場合に適している。
【０１３３】
一方、消去しない動作によれば、次回起動された際、画像投影制御部２５は、今回投影させた画像２２ａに対応する投影画像識別子２４ａを識別する情報を強調表示された投影画像識別情報表示１５ｅを表示部１５に表示させる。そこで、次回は、今回投影させた画像２２ａ、または、その近くに順序付けられた画像識別子２４ｃによって識別される画像２２ａを、まず、画像出力部２１に投影させる場合に適している。例えば、今回の発表の続きの発表を次回に行なう場合である。
【０１３４】
更に、第２の機能表示１５ｃの近くに位置する第２の機能キー１６ｄの操作によって、画像投影制御部２５は、直前に行われた入力装置１６の所定のキー操作がされなかった状態に戻る。または、図１１のフローチャートで、直前の動作ステップの動作がされなかった状態に戻る。
【０１３５】
ここで、投影画像識別情報表示１５ｅは、縦の棒線によって、選択部カーソル２４ｄに基づいたカーソル位置を示し、かつ、ステップＳ２５ｆの投影指示の入力の際、投影される画像データ２２ｆを指示する第７の動作で説明したように、画像投影制御部２５は、選択部カーソル２４ｄが記憶された実質を伴う投影画像識別子２４ａで識別される画像２２ａの画像データ２２ｆを投影させる動作をすることがある。
【０１３６】
この動作は、投影画像選択部２３によって追加された、または、順序付けが変更された投影画像識別子２４ａで識別される画像２２ａの画像データ２２ｆを、画像投影制御部２５は、直ちに投影させるための動作であって、装置の使用者が投影される画像を用いて発表中などに、発表前には投影が予定されていなかった画像を直ちに投影させるために有効である。
【０１３７】
この動作の一例を説明する。実質を伴う投影画像識別子２４ａが投影画像識別子記憶部２４に記憶されていない場合、画像投影制御部２５は、投影部カーソル２４ｅに値が記憶された投影画像識別子２４ａが記憶されていないため、動作開始後、ステップＳ２５ｃで入力装置１６のキー操作に基づいて画像２２ａの投影の制御動作をすることができず、投影画像選択部２３からの通知を待つ。
【０１３８】
ここで、投影画像選択部２３によって、実質を伴う投影画像識別子２４ａが投影画像識別子記憶部２４に記憶され、この通知が送られた場合、画像投影制御部２５は、直ちに新たに記憶された投影画像識別子２４ａで識別される画像２２ａの画像データ２２ｆを投影させることができる。なお、実質を伴う投影画像識別子２４ａが投影画像識別子記憶部２４に記憶されていない場合、画像投影制御部２５は、動作を開始したことを報知するため、画像データ２２ｆを投影させる際よりも弱い輝度で、画像出力部２１に投影させても良い。投影させる画像は、任意である。
【０１３９】
上記説明した通り、投影画像選択部２３と、画像投影制御部２５とは、同時に動作することができる。即ち、装置の使用者（例えば、発表者。）は、画像投影制御部２５を動作させて、意向に従った画像２２ａを画像出力部２１に投影させつつ、投影画像選択部２３を動作させて、投影させたい画像２２ａの選択、及び順序付けをすることができる。更に、この選択、及び順序付けの操作は画像出力部２１によって投影されることがないので、無用な投影を使用者以外の者に視認されることがない。
【０１４０】
しかし、２つの処理部（投影画像選択部２３と、画像投影制御部２５とのこと。）が同時に動作中である際、それらの処理部の両方が用いるリソースをいずれの処理部に割り当てるかの制御が必要である。割り当て制御が必要となるリソースは、ＣＰＵリソース、主記憶装置リソース、表示部１５への表示リソースと、及び入力装置１６のキー操作リソースとの４つである。そこで、制御部１１によるこれらの２つのリソースの割り当て制御を説明する。
【０１４１】
まず、制御部１１による、ＣＰＵリソースの割り当てについて説明する。制御部１１は、キー操作に起因する入力装置１６からの割り込み、または、入力装置１６のキー操作が行われたことをポーリングによって検出することによって、そのキー操作リソースが割り当てられた処理部にＣＰＵリソースを割り当てる。この割り当て制御は、例えば、汎用のマルチタスクシステムにおけるＣＰＵリソース割り当てであり、容易である。
【０１４２】
また、制御部１１による、主記憶装置リソースの割り当てについて説明する。装置は、２つの処理部に割り当て可能な記憶容量を超える主記憶装置リソースを有しているとし、制御部１１は、主記憶装置リソースを２つの処理部に割り当てる。２つの処理部に割り当てられる記憶容量がない場合、制御部１１は、例えば、周知のページングによって割り当て制御を行う。
【０１４３】
次に、制御部１１による、表示部１５への表示リソースの割り当てについて説明する。制御部１１は、以下に説明する方法の１つまたは複数によって、投影画像選択部２３、及び／または、画像投影制御部２５に表示部１５への表示リソースを割り当てる。第１に、制御部１１がマルチウィンドウシステムを有し、１つのウィンドウを投影画像選択部２３に、他の１つのウィンドウを画像投影制御部２５に割り当てる。
【０１４４】
第２に、制御部１１がマルチウィンドウシステムを有しない場合、制御部１１は、入力装置１６の所定のキー操作に基づいて、表示部１５への表示リソースを割り当てる処理部を、投影画像選択部２３と、画像投影制御部２５とのいずれか一方とする。この方法によれば、装置の使用者は、投影画像選択部２３による表示部１５への表示と、画像投影制御部２５による表示部１５への表示との切り替えに所定のキー操作が必要である。しかし、この２つの表示のいずれであっても、使用者は、意向に従って視認することができる。
【０１４５】
第３に、制御部１１がマルチウィンドウシステムを有しない場合、制御部１１は、割り込みまたはポーリングによって、キー操作が行われたことが検出されると、そのキー操作リソースが割り当てられた処理部に表示部１５への表示リソースを割り当てる。この方法によれば、装置の使用者は、投影画像選択部２３に指示を与えた場合、投影画像選択部２３による表示を視認でき、更に、画像投影制御部２５に指示を与えた場合、画像投影制御部２５による表示を視認できる。
【０１４６】
第４に、制御部１１がマルチウィンドウシステムを有しない場合、制御部１１は、投影画像選択部２３に表示部１５への表示リソースを割り当てる。この方法によれば、制御部１１による表示部１５への表示リソース割り当て制御は、容易である。この方法によれば、装置の使用者は、画像投影制御部２５による投影画像識別情報表示１５ｅを視認することはできないが、投影画像選択部２３による投影画像識別情報表示１５ｄを視認することができる。
【０１４７】
投影画像識別情報表示１５ｄの視認による場合、現在投影中の画像２２ａに対応する画像アイコンが併せて強調表示されることが適切である。しかし、その画像アイコンが強調表示されない場合であっても、投影画像選択部２３と、画像投影制御部２５とを同時に動作させているのであるから、装置の使用者は、現在投影中の画像２２ａの順序付けを承知の上で、投影される画像２２ａの変更を行なっていると考えられるので、現在投影中の画像２２ａに対応する画像アイコンが識別されないことによる不自由は、限られたものである。なお、言うまでもないが、画像投影制御部２５が動作し、投影画像選択部２３が動作していない場合、画像投影制御部２５に表示部１５への表示リソースが割り当てられる。
【０１４８】
次に、制御部１１による、入力装置１６のキー操作リソースの割り当てについて説明する。移動通信装置の入力装置１６は、限られた数のキーからなる。そこで、装置の使用者が投影画像選択部２３と、画像投影制御部２５とに所望の動作をさせるために、いずれのキーの操作がいずれの処理部への指示であるかが容易に判断可能である必要がある。この課題を達成するため、制御部１１は、キー操作が行われたことを、以下に説明する方法の１つまたは複数によって、動作中の投影画像選択部２３と、動作中の画像投影制御部２５とのいずれかに通知する。
【０１４９】
第１に、制御部１１は、入力装置１６の所定のキー操作に基づいて、キー操作が行われたこと通知する処理部を、投影画像選択部２３と、画像投影制御部２５とのいずれか一方とする。この方法によれば、装置の使用者は、一方の処理部に指示を与えた後、他方の処理部に指示を与える場合、指示を与える処理部を変更するために所定のキー操作が必要である。しかし、いずれの処理部も入力装置１６の全てのキー操作（指示を与える処理部を変更するための所定のキー操作を除く。）の通知を受けることができ、装置の使用者の意向に従ったキー操作によって両処理部に指示を与えることができる。
【０１５０】
第２に、制御部１１は、下筐体ＭＳ２の内面に設置されたキーの操作が行われたことを投影画像選択部２３に通知する。一方、下筐体ＭＳ２の側面に設置された側面キー１６ｅの操作が行われたことを画像投影制御部２５に通知する。
【０１５１】
なぜなら、投影画像選択部２３への指示は、投影させる画像２２ａの選択と、その選択された画像２２ａの投影の順序付けとの２種類からなる。一方、画像投影制御部２５への指示は、投影させる画像２２ａを順序付けを参照して変更させる１種類からなり、更に、順序付け通りの順序で投影される画像２２ａを変更させる、単純な指示であることが多い。
【０１５２】
更には、装置の使用者は、画像投影制御部２５を動作させて画像２２ａを投影させている際に、投影画像選択部２３を動作させて、投影させたい画像２２ａの選択、及び順序付けをする可能性は比較的少ない。事前に画像２２ａの選択、及び順序付けを終えていることが多いからである。
【０１５３】
そこで、画像投影制御部２５への指示は、必ずしもキーの数が多いことを必要としないものの、目視することなく操作することが容易なキー、また、キー操作によって、上下筐体ＭＳ１、ＭＳ２の震動が少ないキー、そして、上下筐体ＭＳ１、ＭＳ２が閉状態にあっても操作可能なキーによって行なわれることが適切であり、側面キー１６ｅの操作によることが適切である。
【０１５４】
なお、上下筐体ＭＳ１、ＭＳ２を閉状態にして、画像投影制御部２５を動作させることにより、表示部１５による消費電力の削減が可能となる効果が得られる。また、上下筐体ＭＳ１、ＭＳ２の側面のみならず、外面にキーが設置されている場合、上記説明に従い、その外面キーのキー操作は、画像投影制御部２５への指示とすることが適切である。
【０１５５】
側面キー１６ｅが３つある場合、上の側面キー１６ｅの操作は最初に順序付けられた画像２２ａの投影、中の側面キー１６ｅの操作は投影されている画像２２ａの直前に順序付けられた画像２２ａの投影、そして、下の側面キー１６ｅの操作は投影されている画像２２ａの直後に順序付けられた画像２２ａの投影を示す画像投影制御部２５への指示とすることが適切である。なぜなら、投影の順が早い、即ち、前に順序付けられている画像２２ａ程、上に、一方、投影の順が遅い、即ち、後に順序付けられている画像２２ａ程、下に位置することが、装置の使用者の実感に一致するからである。
【０１５６】
側面キー１６ｅが２つある場合、上の側面キー１６ｅの操作は投影されている画像２２ａの直前に順序付けられた画像２２ａの投影、そして、下の側面キー１６ｅの操作は投影されている画像２２ａの直後に順序付けられた画像２２ａの投影を示す画像投影制御部２５への指示とすることが適切である。側面キー１６ｅが１つある場合、その側面キー１６ｅの操作は投影されている画像２２ａの直後に順序付けられた画像２２ａの投影を示す画像投影制御部２５への指示とすることが適切である。なぜなら、この投影指示が最も多く画像投影制御部２５へ与えられる指示と考えられるからである。
【０１５７】
第３に、十字選択キー１６ｂの上方向キー、及び下方向キーの操作が行われたことを画像投影制御部２５に通知する。一方、その他のキーの操作（十字選択キー１６ｂの左方向キー、及び右方向キーの操作を含む。）が行われたことを投影画像選択部２３に通知する。
【０１５８】
そして、十字選択キー１６ｂの上方向キーの操作は投影されている画像２２ａの直前に順序付けられた画像２２ａの投影、そして、十字選択キー１６ｂの下方向キーの操作は投影されている画像２２ａの直後に順序付けられた画像２２ａの投影を示す画像投影制御部２５への指示とすることが適切である。なぜなら、投影の順が早い、即ち、前に順序付けられている画像２２ａ程、上に、一方、投影の順が遅い、即ち、後に順序付けられている画像２２ａ程、下に位置することが、装置の使用者の実感に一致するからである。
【０１５９】
一方、投影画像選択部２３は、十字選択キー１６ｂの上方向キー、及び下方向キーの操作に代えて、十字選択キー１６ｂの左方向キー、及び右方向キーの操作によって、全ての種類の動作が可能であり、更に、左方向キー、及び右方向キーの操作によることは、横書き文章の文字をたどることと類似しており、装置の使用者の実感に一致するからである。
【０１６０】
以上の説明は、投影画像選択部２３と、画像投影制御部２５とは、別の処理部であるとしたが、これに限るものではない。例えば、投影画像選択部２３は、画像投影制御部２５の機能を含み、投影画像識別子２４ａの画像識別子２４ｃによって識別される画像２２ａを画像出力部２１に投影させるとしても良い。
【０１６１】
その場合、投影画像選択部２３は、図８を参照して説明した投影画像識別情報表示１５ｄを表示部１５に表示している際、入力装置１６の所定のキー操作に基づいて１つの強調表示される画像アイコンを選択する。そして、その画像アイコンに対応する投影画像識別子２４ａの投影部カーソル２４ｅに値を記憶させ、その投影画像識別子２４ａの画像識別子２４ｃで識別される画像２２ａを画像出力部２１に投影させる。
【０１６２】
以上の説明は、画像出力部２１は、装置の外側に画像を投影するプロジェクタであるとしたが、これに限るものではない。装置外の画像を表示するディスプレー、例えば、テレビ受像機へ、そのディスプレーに表示させる画像信号と、そのディスプレーの電源投入切断及び輝度変更を指示する制御信号とを送信する処理部であるとしても良い。
【０１６３】
以上の説明は、入力装置１６は、下筐体ＭＳ２に設置されているとしたが、これに限るものではない。上筐体ＭＳ１に設置されていても良い。更に、有線回線または無線回線を介して装置と接続されるリモコン装置（図示せず）に設置されていても良い。無線回線は、赤外線回線であっても良く、ブルートゥース（Bluetooth、登録商標）回線であっても良い。
【０１６４】
リモコン装置には、入力装置１６のみが設置されていると限るものではなく、リモコン装置は、例えば、ブルートゥース（Ｒ）回線を介して接続されたイヤホン装置（図示せず）であっても良い。なお、入力装置１６がリモコン装置に設置されている場合、入力装置１６のキー操作によって上下筐体ＭＳ１、ＭＳ２が震動することがないため、投影された画像が震動することがない。本発明は以上の構成に限定されるものではなく、種々の変形が可能である。
【図面の簡単な説明】
【０１６５】
【図１】本発明の実施形態に係る開閉自在の折畳み型移動通信端末装置の上下筐体を開いた際の外観図。
【図２】本発明の実施形態に係る開閉自在の折畳み型移動通信端末装置の上下筐体を閉じた際の外観図。
【図３】本発明の実施形態に係る移動通信装置の構成を示すブロック図。
【図４】本発明の実施形態に係る画像の構成の一例を示す図。
【図５】本発明の実施形態に係る投影画像識別子の構成の一例を示す図。
【図６】本発明の実施形態に係る投影画像選択部の第１の動作のフローチャート。
【図７】本発明の実施形態に係る投影画像選択部による画像識別表示情報の表示の一例を示す図。
【図８】本発明の実施形態に係る投影画像選択部による投影画像識別情報表示の一例を示す図（その１）。
【図９】本発明の実施形態に係る投影画像選択部による投影画像識別情報表示の一例を示す図（その２）。
【図１０】本発明の実施形態に係る投影画像選択部の第２の動作のフローチャート。
【図１１】本発明の実施形態に係る画像投影制御部の動作のフローチャート。
【図１２】本発明の実施形態に係る画像投影制御部による投影画像識別情報表示の一例を示す図。
【符号の説明】
【０１６６】
１１  制御部
１５  表示部
１５ａ  画像識別情報表示
１５ｄ、１５ｅ  投影画像識別情報表示
１６  入力装置
１６ａ  決定キー
１６ｂ  十字選択キー
１６ｃ  第１の機能キー
１６ｄ  第２の機能キー
１６ｅ  側面キー
２１  画像出力部
２２  画像記憶部
２２ａ  画像
２２ｂ、２４ｃ  画像識別子
２２ｆ  画像データ
２２ｇ  サムネイル画像データ
２３  投影画像選択部
２４  投影画像識別子記憶部
２４ａ  投影画像識別子
２４ｂ  順序
２４ｄ  選択部カーソル
２４ｅ  投影部カーソル
２５  画像投影制御部
【図１】
2009244977.tif 000003
【図２】
2009244977.tif 000004
【図３】
2009244977.tif 000005
【図４】
2009244977.tif 000006
【図５】
2009244977.tif 000007
【図６】
2009244977.tif 000008
【図７】
2009244977.tif 000009
【図８】
2009244977.tif 000010
【図９】
2009244977.tif 000011
【図１０】
2009244977.tif 000012
【図１１】
2009244977.tif 000013
【図１２】
2009244977.tif 000014